(57)【要約】      （修正有）【課題】デザイン性に優れ、長時間履いたり、階段の昇り降り時に着用する場合に容易に足先からスリッパが脱げなくした上履き用のスリッパを提供する。【解決手段】スリッパ底板２とスリッパ甲部３からスリッパ１を形成し、スリッパ底板２上の踵部５を台状部４とし、スリッパ甲部３の後端３ａの左右側部３ｂの下端３ｃの部分を、スリッパ底板２上の台状部４の高さとして台状部４である踵部５の後端５ａの周囲に延ばして延長部６とし、延長部の下端を台状部４の下端４ｂと一体的に接続し、延長部の上端と台状部４の周囲の間に開口部７からなる間隙８を設け、スリッパ甲部３の後端３ａの左右の側部３ｂの間隙８を始点９とするゴム紐１０をスリッパ底板上の台状部４の周囲に取付け、台状部４の周囲にＵ字状に掛けて台状部４の周囲の間隙８に挿入して収納した脱げ落ち防止機能を有する上履き用のスリッパ１。【選択図】図１
0003163900.tif 000002
【実用新案登録請求の範囲】
【請求項１】
足を載置する足裏形状のスリッパ底板と、足裏の土踏まずより前方のスリッパ底板の前部および側部から足の指部および甲部をドーム状に覆う形状のスリッパ甲部とからスリッパの基本構造を形成し、スリッパ底板の上の足裏の土踏まずより後方の踵部の後端までを台状部に形成し、スリッパ甲部の後端の左右側部の下端の部分をスリッパ底板の上の台状部の高さとして台状部の踵部の後端の周囲に延ばして延長部とし、該延長部の下端をスリッパ底板の上の台状部の下端と一体的に接続して該スリッパ甲部の後端の左右側部の下端の延長部の上端とスリッパ底板の上の台状部の周囲との間に開口する開口部を有する間隙を配設し、該間隙のスリッパ甲部の後端の左右側部を始点としてスリッパ底板の上の台状部の周囲に伸縮性を有するゴム紐を取付け、該ゴム紐をスリッパ底板の上の台状部の周囲にＵ字状に掛けて、台状部の周囲の間隙に挿入して外部から目視不能としていることを特徴とする脱げ落ち防止機能を有する上履き用のスリッパ。
【請求項２】
足を載置する足裏形状のスリッパ底板と、足裏の土踏まずより前方のスリッパ底板の前部および側部から足の指部および甲部をドーム状に覆う形状のスリッパ甲部とからスリッパを形成し、該スリッパの足裏の土踏まずより前方のスリッパ底板の前部および側部から足の指部および甲部をドーム状に覆う形状のスリッパ甲部は、スリッパ甲部の後端の最高の高さの略半分の高さ位置からスリッパ甲部の左右側部の後端を徐々に斜め下の後方の踵部のスリッパ底板の上の台状部の中程に延ばして下端とし、この下端から後方の台状部の周囲へ延びる部分を延長部とし、該延長部の下端をスリッパ底板の上の台状部の下端と一体的に接続して該スリッパ甲部の延長部の上端とスリッパ底板の上の台状部の周囲との間に開口する開口部を有する間隙を配設し、該間隙のスリッパ甲部の左右側部の台状部の先端の部分を始点としてスリッパ底板の上の台状部の周囲に伸縮性を有するゴム紐を取付け、該ゴム紐をスリッパ底板の上の台状部の周囲にＵ字状に掛けて、台状部の周囲の間隙に挿入して外部から目視不能としていることを特徴とする脱げ落ち防止機能を有する上履き用のスリッパ。
【請求項３】
スリッパ底板の上の台状部は足裏の土踏まずから踵部の後端までの高さが前方から後方へ徐々に高められていることを特徴とする請求項１または２に記載の脱げ落ち防止機能を有する上履き用のスリッパ。
【請求項４】
足裏の土踏まずから踵部の後端までの台状部はその周囲に有する伸縮性のゴム紐を平ゴム紐としていることを特徴とする請求項３に記載の脱げ落ち防止機能を有する上履き用のスリッパ。
【考案の詳細な説明】
【技術分野】
【０００１】
この考案は、住宅の室内あるいは上履きを必要とする病院、旅館、ホテル、事務所や工場などで使用する上履き用のスリッパに関する。特に歩行時や階段の昇り降り時に容易に脱げ落ちないようにした脱げ落ち防止機能を有し、通常は脱げ落ち防止機能は収納でき、収納した場合は、外見上通常のスリッパであるが、必要時に脱げ落ち防止機能が容易にスリッパの後部の踵上の部分に取り出して脱げ落ち防止機能を働かせることで、極めて歩き易くした上履き用のスリッパに関する。
【背景技術】
【０００２】
従来、通常、日本で室内の上履きとされるスリッパは、スリッパの前半部に設けられたフード状の甲の部分に足の甲を挿入して、足先部を引っかけるようにして履くものが一般的である。このようなスリッパでは、足の踵の部分はスリッパの後半部の平板状の中敷きに単に載置しているに過ぎず、しかも、前半部のフードの部分は足指形状よりも幅広で高さがあり、足先を密着して包含していないので、足がスリッパから脱げ易い。このために、靴を履いているようにスタスタと足裏を持ち上げて歩行することができず、引きずり気味の状態で歩行することとなっている。
【０００３】
この住宅内でのスリッパの使用状況は日本の住宅状況にかかっているところが大きい。というのは、従来の日本の木造家屋は畳敷きの部屋が主体で、玄関の上がり框や廊下あるいはトイレや浴室などは板敷きであり、この様な板敷きの所では、スリッパを用いることはあったが、畳敷きの部屋ではスリッパは履かない。しかし、現在の住宅は、１戸建ての木造住宅であっても、また、鉄筋コンクリート建ての中高層のマンション等の共同住宅であっても、畳み敷きの部屋は一般的には１〜２室と少なく、多くはフローリングなどの居室からなっている。このため、居室でスリッパを常用的に履く機会が増えてきている。
【０００４】
このように、踵部の部分が板状からなるスリッパを常用するようになってくると、上記したように、踵部の部分が板状からなるスリッパでは、足がスリッパから脱げ易く、このため常用として使用しにくい。そこで、スリッパの甲部の後部から帯状のバックバンドあるいは着用バンドを設けて、これらのバックバンドや着用バンドをスリッパを履いた足の踵の上のアキレス腱の下部の部分に係合することによりスリッパで歩行したときに、脱げ難くしたものが種々に提案されており、それらの一部には、戸外にも履いて出ることが可能となっているものもある（例えば、特許文献１〜特許文献６参照。）。しかし、これらのものは、いずれも、バックバンドや着用バンドを踵の上に係合しないで、通常のスリッパとして使用したときに、これらのバックバンドや着用バンドがスリッパを履く際に邪魔な存在となり、またこれらのバックバンドや着用バンドを使用しない場合でも、これらのバンドが足元で露出状態となっており、結果としてスリッパのデザインを損ない、見たところ格好が良くないものであった。
【先行技術文献】
【特許文献】
【０００５】
【特許文献１】実開昭５７−１６９１０３号公報
【特許文献２】実開昭５７−１１１２０３号公報
【特許文献３】実開昭５７−１１１２０２号公報
【特許文献４】実開平２−３６３０２号公報
【特許文献５】特開平９−３１３０２号公報
【特許文献６】特開平１０−１７９２０１号公報
【考案の概要】
【考案が解決しようとする課題】
【０００６】
この考案が解決しようとする課題は、トイレなどで短い時間あるいは短い距離で履く場合には、デザイン性に優れた通常のスリッパでありながら、一方、スリッパを履いた状態で室内で長時間過ごしたり、あるいは階段の昇り降りを行ったり、もしくは、工場のクリーンルームなどで上履きとして着用する場合には、踵上の足首に係合するゴム紐を有して容易に足先からスリッパが脱げなくして履き続けることができ、しかも、通常のスリッパとしてゴム紐を使用しない場合には、ゴム紐を露出しなくしてスリッパのデザインを損なうことをなくした、脱げ落ち防止機能を有する上履き用のスリッパを提供することである。
【課題を解決するための手段】
【０００７】
上記の課題を解決するための本考案の手段は、請求項１の考案では、足を載置する足裏形状のスリッパ底板２と、足裏の土踏まずより前方のスリッパ底板２の前部２ｂおよび側部２ｃから足の指部および甲部をドーム状に覆う形状のスリッパ甲部３からスリッパ１の基本構造を形成し、スリッパ底板２の上の足裏の土踏まずより後方の踵部５の後端３ａまでを台状部４に形成し、スリッパ甲部３の後端３ａの左右の側部３ｂの下端３ｃの部分をスリッパ底板２の上の台状部４の高さとして台状部４の踵部５の後端５ａの周囲に延ばして延長部６とし、この延長部６の下端６ａをスリッパ底板２の上の台状部４の下端４ｂと一体的に接続して該スリッパ甲部３の後端３ａの左右の側部３ｂの下端３ｃの延長部６の上端６ｂとスリッパ底板２の上の台状部４の周囲との間の開口部７である間隙８を配設し、この間隙８のスリッパ甲部３の後端３ａの左右の側部３ｂを始点９としてスリッパ底板２の台状部４の周囲に伸縮性を有するゴム紐１０を取付け、このゴム紐１０をスリッパ底板２の上の台状部４の周囲にＵ字状に掛けて、台状部４の周囲の間隙８に挿入して外部から目視不能としていることを特徴とする脱げ落ち防止機能を有する上履き用のスリッパ１である。
【０００８】
請求項２の考案では、足を載置する足裏形状のスリッパ底板２と、足裏の土踏まずより前方のスリッパ底板２の前部２ｂおよび側部２ｃから足の指部および甲部をドーム状に覆う形状のスリッパ甲部３とからスリッパ１を形成し、このスリッパ１の基本構造の足裏の土踏まずより前方のスリッパ底板２の前部２ｂおよび側部２ｃから足の指部および甲部をドーム状に覆う形状のスリッパ甲部３は、スリッパ甲部３の後端３ａの最高の高さの略半分の高さ位置からスリッパ甲部３の左右の側部３ｂの後端３ａを徐々に斜め下後方の踵部５のスリッパ底板２の上の台状部４へ延びる延長部６とし、この延長部６の下端６ａをスリッパ底板２の上の台状部４の下端４ｂと一体的に接続して該スリッパ甲部３の延長部６の上端６ｂとスリッパ底板２の上の台状部４の周囲との間に開口部７である間隙８を配設し、この間隙８のスリッパ甲部３の後端３ａの左右の側部３ｂを始点９としてスリッパ底板２の上の台状部４の周囲に伸縮性を有するゴム紐１０を取付け、このゴム紐１０をスリッパ底板２の上の台状部４の周囲にＵ字状に掛けて、台状部４の周囲の間隙８に挿入して外部から目視不能としていることを特徴とする脱げ落ち防止機能を有する上履き用のスリッパ１である。
【０００９】
請求項３の考案では、スリッパ底板２の上の台状部４は足裏の土踏まずから踵部５の後端５ａまでの高さが前方から後方へ徐々に高められて傾斜面４ｄに形成されていることを特徴とする請求項１または２の手段の脱げ落ち防止機能を有する上履き用のスリッパ１である。
【００１０】
請求項４の考案では、足裏の土踏まずから踵部５の後端５ａの台状部４の周囲に有する伸縮性のゴム紐１０は、平ゴム紐１０ａからなることを特徴とする請求項１〜３のいずれか１項の手段の脱げ落ち防止機能を有する上履き用のスリッパ１である。
【考案の効果】
【００１１】
本考案は、請求項１の手段では、スリッパをトイレなどで短時間の移動で履く場合には、従来の通常のスリッパと同様に足先部を甲部に挿着して履く機能を有しているが、一方、スリッパを履いて階段を昇り降りする際や、あるいは、工場のクリーンルームなどで上履きとして履く際に、スリッパに設けたゴム紐を足の踵上の足首に係合することにより不用意に脱げることなく、しかも、ゴム紐を係合することなく従来のスリッパと同様に足先部を挿着して履く場合には、スリッパに設けたゴム紐が外へ露出しないように収納することができるので、履いた足にゴム紐が邪魔になることなく、デザイン的にも優れたものとなっているなど、優れた効果を奏する。
【００１２】
請求項２の手段では、足の指部および甲部をドーム状に覆う形状のスリッパ甲部の形状は、スリッパ甲部の後端の最高の高さの略半分の高さ位置からスリッパ甲部の左右側部の後端を徐々に斜め下後方へ延ばして踵部のスリッパ底板の上の台状部に到達する延長部としているので、この甲部の左右側部の延長部で履いた足の足首の周囲の踵部サイドまでを十分に覆うので、家庭内の上履きとした時に優しく足部を保護すると共に、請求項１のスリッパと同様にスリッパに設けたゴム紐を足の踵上の足首に係合することにより、階段を昇り降りする際や、あるいは、工場のクリーンルームなどで上履きとして履く際に、スリッパに設けたゴム紐を足の踵上の足首に係合することにより不用意に脱げることなく、しかも、ゴム紐を係合することなく従来のスリッパと同様に足先部を挿着して履く場合には、スリッパに設けたゴム紐が外へ露出しないように収納することができるので、履いた足にゴム紐が邪魔になることなく、デザイン的にも優れたものとなっているなど、優れた効果を奏する。
【００１３】
さらに請求項３の手段では、スリッパ後部の踵の載る部分の台状部を土踏まずより後方へ徐々に高められて傾斜面とされているので、スリッパを履いた際に安定感のある履き心地を得ることができる効果を請求項１または２手段の効果に加えて奏する。
【００１４】
さらに、請求項４の手段では、スリッパが歩行時に脱げ難くする足首に装着するゴム紐を平ゴム紐としたことで、足首に装着した際に皮膚に当接する部分が幅広となり、足首に掛かる伸縮力が局部的で無くなって肌に優しく当接し、長時間にわたって快適な履き心地を得ることができる効果をさらに請求項３の効果に加えて奏する。
【図面の簡単な説明】
【００１５】
【図１】請求項１に係る考案の基本構造のスリッパで、（ａ）はゴム紐を収納した状態を示す側面図、（ｂ）は（ａ）のＸ−Ｘで切断して矢視方向に見た図である。
【図２】図１に示すスリッパのゴム紐を外部に取り出し足首に係合した状態を示す側面図。
【図３】請求項２に係る考案のスリッパで、平ゴム紐からなるゴム紐を収納した状態の側面図。
【図４】請求項２に係る考案のスリッパで、（ａ）はゴム紐を外部に取り出した状態を示す斜視図で、（ｂ）は甲部の側部の延長部から台状部の側部の一部を破断してゴム紐の取付け状態を示す側面図。
【図５】図３に示すスリッパのゴム紐を外部に取り出し足首に係合した状態を示す側面図。
【図６】請求項３の考案の構造の踵の載る部分の台状部を土踏まずより後方へ徐々に高めて傾斜面の台状部としたスリッパの側面図。
【考案を実施するための形態】
【００１６】
本考案の実施の形態を図面を参照して説明する。先ず、請求項１に係るスリッパ１の基本構造について説明する。この基本構造のスリッパ１は最も一般的な構造のスリッパの形状に係るものである。すなわち、図１の（ａ）に示すように、足を載置する足裏形状のスリッパ底板２と、足裏の土踏まずより前方のスリッパ底板２の前部２ｂおよび側部２ｃから足の指および甲を覆うドーム状のスリッパ甲部３からスリッパ１の基本構造を形成している。スリッパ底板２の上の土踏まずより後方の踵部５の後端３ａまでを台状部４に形成している。さらに、スリッパ甲部３の後端３ａの左右の側部３ｂの下端３ｃの部分をスリッパ底板２の上の台状部４の高さとしている。そして、この甲部３の左右の側部３ｂの下端３ｃの部分を後方の台状部４の踵部５の後端５ａの周囲に延ばして延長部６として台状部４を取り囲んでいる。さらに、この甲部３の下端から後方へ延びる延長部６の下端６ａをスリッパ底板２の上の台状部４の下端４ｂと一体的に接続し、スリッパ甲部３の後端３ａの左右の側部３ｂの下端３ｃの延長部６の上端６ｂとスリッパ底板２の上の台状部４の周囲との間に、図１の（ｂ）に示すように、上部を開口部７とする間隙８を設けている。この間隙８には、スリッパ甲部３の後端３ａの左右の側部３ｂを始点９とする伸縮性を有するゴム紐１０をスリッパ底板２の上の台状部４の周囲に取付け、このゴム紐１０をスリッパ底板２の上の台状部４の周囲の間隙８内にＵ字状に収めて、台状部４の後端４ｃに掛けている。このようにゴム紐１０を台状部４の周囲の間隙８に挿入して収納することで外部から目視不能としている。
【００１７】
図２は、上記の基本構造の本考案のスリッパ１を足に挿着した状態を示す図で、スリッパ甲部３の下端３ｃから後方へ延びる延長部６の内側の間隙８からゴム紐１０を取り出して、スリッパ１を履いた足の踵上部の足首の後部にゴム紐１０を係合した状態を示している。このようにゴム紐１０を足首の後部に係合することで、このスリッパ１を履いて室内を歩き回ったり、あるいは階段を昇り降りしても、履いた足からスリッパ１が脱げることがなく、したがって、摺り足で歩行するのではなく、足を上げて歩くことができるので、疲れることなく、また極めて安全に歩行できる。
【００１８】
次に、請求項２に係る考案について説明する。この考案のスリッパ１は、上記の基本構造のスリッパ１と異なり、スリッパ甲部３が足の甲を大きく覆うと共に、スリッパ甲部３の後端３ａの左右に台状部４の踵部５の中程まで延びている。したがってスリッパ甲部３の下端３ｃの部分が台状部４の踵部５の中程から始まることとなって、図３に示すスリッパ１となっている。
【００１９】
すなわち、請求項２に係る考案のスリッパ１は、足を載置する足裏形状のスリッパ底板２と、足裏の土踏まずより前方のスリッパ底板２の前部２ｂおよび側部２ｃから足の指部および甲部をドーム状に覆う形状のスリッパ甲部３とからなっている。このスリッパ１の足裏の土踏まずより前方のスリッパ底板２の前部２ｂおよび側部２ｃから足の指部および甲部をドーム状に覆う形状のスリッパ甲部３は、スリッパ甲部３の後端３ａの最高の高さの略半分の高さ位置からスリッパ甲部３の左右の側部３ｂの後端３ａを徐々に斜め下の後方の踵部５のスリッパ底板２の上の台状部４の略中程まで延ばして下端３ｃとしている。そしてこの下端３ｃから後方へ延びる部分を延長部６としている。この延長部６の下端６ａをスリッパ底板２の上の台状部４の下端４ｂと一体的に接続し、スリッパ甲部３の下端３ｃに続く延長部６の上端６ｂとスリッパ底板２の上の台状部４の周囲の上部の間に開口する開口部７を有する間隙８を、図４に示すように、台状部４の周囲に配設している。この間隙８のスリッパ甲部３の左右の側部３ｂの台状部４の先端の部分を始点９としてスリッパ底板２の上の台状部４の周囲に伸縮性を有するゴム紐１０を取付けている。このゴム紐１０をスリッパ底板２の上の台状部４の周囲にＵ字状に掛けて、台状部４の周囲の間隙８に挿入して外部から目視不能としている。
【００２０】
図４の（ａ）は、上記の請求項３に係る考案のスリッパ１の伸縮性を有するゴム紐１０を台状部４の周囲の開口部４を有する間隙８から外して台状部４の上に取り出した状態を示している。さらに、図４の（ｂ）は、スリッパ甲部３の側部３ｂの部分から台状部４の側部の部分を一部破断して、スリッパ底板２の側部２ｃの下端にゴム紐１０の始点９を設けた状態を示している。この図に見られるように、ゴム紐１０は平ゴム紐１０ａとすると、スリッパ甲部３の左右の側部３ｂと台状部４の周囲とスリッパ甲部３の延長部６との間の開口部７から間隙８に容易に収納できる。
【００２１】
図５は、上記の図４に示す本考案のスリッパ１を足に挿着した状態を示す図であり、この図４に示すスリッパ１の間隙８からゴム紐１０を取り出して、スリッパ１を履いた足の踵上部の足首の後部にゴム紐１０を係合している。このスリッパ１の場合も図２に示すスリッパ１と同様に、ゴム紐１０を足首の後部に係合することで、このスリッパ１を履いて室内を歩き回ったり、あるいは階段を昇り降りしても、履いた足からスリッパ１が脱げることがなく、したがって、摺り足で歩行するのではなく、足を上げて歩くことができるので、疲れることなく、また極めて安全に歩行できる。
【００２２】
請求項３に係る考案のスリッパ１は、図６に示すように、例えば基本構造からなるスリッパ１において、スリッパ底板２の上の台状部４は、足裏の土踏まずから踵部５の後端５ａまでの高さが前方から後方へ徐々に高められて傾斜面４ｄに形成されている。したがって、スリッパを履いた際に安定感のある履き心地を得ることができる。もちろん、図示していないが、図３に示す請求項２の考案に係るスリッパ１においても、スリッパ底板２の上の台状部４は、足裏の土踏まずから踵部５の後端５ａまでの高さが前方から後方へ徐々に高められて傾斜面４ｄに形成されたものとすることで、スリッパを履いた際に安定感のある履き心地を得ることができる。
【００２３】
請求項４に係る考案のスリッパ１では、足裏の土踏まずから踵部５の後端３ａまでに形成された台状部４はその周囲に有する伸縮性のゴム紐１０を平ゴム紐１０ａとしているものであり、上記で図４の（ｂ）として既に説明しているように、ゴム紐１０を平ゴム紐１０ａとすることで、スリッパ甲部３の左右の側部３ｂと台状部４の周囲とスリッパ甲部３の延長部６との間の開口部７から幅狭の間隙８に収納することが容易にできる。
【符号の説明】
【００２４】
１  スリッパ
２  スリッパ底板
２ａ  底面部
２ｂ  前部
２ｃ  側部
２ｄ  後部
３  スリッパ甲部
３ａ  後端
３ｂ  側部
３ｃ  下端
４  台状部
４ａ  上面部
４ｂ  下端
４ｃ  後端
４ｄ  傾斜面
５  踵部
５ａ  後端
６  延長部
６ａ  下端
６ｂ  上端
７  開口部
８  間隙
９  始点
１０  ゴム紐
１０ａ  平ゴム紐
【図１】
0003163900.tif 000003
【図２】
0003163900.tif 000004
【図３】
0003163900.tif 000005
【図４】
0003163900.tif 000006
【図５】
0003163900.tif 000007
【図６】
0003163900.tif 000008